(57)【要約】【課題】            本発明は種フィルム（以下で、種フィルムとは、マルチングフィルムに種子を付着して被覆することによって、同時に種まきまでする目的で種フィルムに種子が付着された状態を意味する）鋪設装置及びその鋪設装置を利用した種フィルム鋪設方法に関するものである。【解決手段】        より詳しくは、角度の調節が可能な均平板、広げられた種フィルムを加圧する種フィルム加圧部、種フィルムを固定させる種フィルム固定部などを含んで、自動的に、迅速且つ簡便に種フィルムを田に鋪設することができる種フィルム鋪設装置及びその鋪設装置を利用した種フィルム鋪設方法に関するものである。【選択図】          図１
2015516170.tif 000002
【特許請求の範囲】
【請求項１】
乗用被覆機、移秧機、トラクター、耕運機または管理機のような農機械の後端に設置される種フィルム鋪設装置において、
前記農機械の後端に具備されるフレーム；
種フィルムが巻き取られ、前記フレームの上端側に設置される種フィルム載置部；
前記フレームの下端側に具備され、長手方向が田の平面方向と平行し、種フィルムが鋪設される田を均平にする均平板；
前記均平板と特定間隔で離隔され、前記均平板の後方側に具備され、前記種フィルム載置部の回転によって田に広げられた前記種フィルムを加圧する種フィルム加圧部；及び
前記種フィルム加圧部と特定間隔で離隔され、前記種フィルム加圧部の後方側に具備され、加圧された前記種フィルムの両側末端を加圧して固定させるタイヤ形状の種フィルム固定部を含み、
前記均平板は後方に凹まれるように湾曲された形状を有し、前記均平板を前記均平板の長手方向軸を基準に回転させる調節手段、前記田の高低及び強度を感知するセンサー及び前記センサーによって感知されたデータを基盤に前記調節手段を制御する制御部をさらに含むことを特徴とする種フィルム鋪設装置。
【請求項２】
前記フレームの上端中央一側と前記均平板の両方側面それぞれに連結されて、前記均平板の左右均衡を保持する弾性部材をさらに含むことを特徴とする請求項１に記載の種フィルム鋪設装置。
【請求項３】
前記フレームの上端両側と前記種フィルム載置部の両側末端とを連結する載置部支持体；
前記フレームの下端両側と前記種フィルム加圧部の両側末端とを連結する加圧部支持体；及び
前記フレームの下端両側と前記種フィルム固定部の両側末端とを連結する固定部支持体；をさらに含むことを特徴とする請求項１に記載の種フィルム鋪設装置。
【請求項４】
前記固定部支持体の末端それぞれに具備された前記種フィルム固定部を連結する固定軸；及び
前記固定軸に具備されて、前記種フィルムを加圧し、前記種フィルム固定部の直径より小さい直径で具備された少なくとも一つの加圧タイヤをさらに含むことを特徴とする請求項３に記載の種フィルム鋪設装置。
【請求項５】
前記種フィルム固定部には前記種フィルム固定部が前記田に挿入される深さを調節し、衝撃を吸収するためなショックアブソーバをさらに含むことを特徴とする請求項４に記載の種フィルム鋪設装置。
【請求項６】
前記固定部支持体の末端に具備されて、鋪設された前記種フィルムを切断するためのカッター部をさらに含むことを特徴とする請求項５に記載の種フィルム鋪設装置。
【請求項７】
請求項１に記載の種フィルム鋪設装置を利用した種フィルム鋪設方法において、
農機械の駆動によって農機械が前方に移動されながら、前記農機械の後方に設置された均平板によって田が均平になる段階；
種フィルム載置部の回転によって前記種フィルム載置部に巻き取られた種フィルムが種フィルム加圧部の前方に広げられ、広げられた種フィルムが前記種フィルム加圧部によって田に加圧される段階；及び
加圧された前記種フィルムの両側を種フィルム固定部が加圧しながら、前記種フィルムが前記田に固定される段階；を含むことを特徴とする種フィルム鋪設方法。
【発明の詳細な説明】
【技術分野】
【０００１】
本発明は種フィルム（以下で、種フィルムとは、マルチングフィルムに種子を付着して被覆することによって、同時に種まきもすることができ、その目的で、種フィルムに種子が付着された状態を意味する）鋪設装置及びその鋪設装置を利用した種フィルム鋪設方法に関するものである。より詳しくは、角度の調節が可能な均平板、広げられた種フィルムを加圧する種フィルム加圧部、種フィルムを固定させる種フィルム固定部などを含み、それによって、自動的に迅速で簡便に種フィルムを田に鋪設することができる種フィルム鋪設装置及びその鋪設装置を利用した種フィルム鋪設方法に関するものである。
【背景技術】
【０００２】
一般に、マルチングフィルムは、除草、保温及び保湿のために、種蒔きをする前に予め鋪設される。しかしながら、人手の足りない農村の現実に照らして、マルチングフィルムの鋪設と種まきが同時にできれば、相当労動力を節減することができ、このような着想から、マルチングフィルムに種子を付着した種フィルムの使用が徐徐に増え、種フィルムを鋪設するための装備の必要性も高くなっている。
【０００３】
このような種フィルムは畑作物や水田作物の何れにも適用可能で、従来公開された韓国登録特許第１０１５９６６号は、このような種フィルムの鋪設方法を利用した稲栽培方法を提案しており、韓国登録特許第１０１５９６６号の図１３に示すように、従来の鋪設装置は種フィルム載置部及び種フィルム加圧部を含む。
【０００４】
しかし、このような従来の鋪設装置は、土壌の高さの変化、強度の変化に適応することができなく、種フィルムを均平に加圧、固定させることができなくて、実際農村の現場に適用しにくいという問題点があった。従って、種フィルムを鋪設する前に、農地面を均平に広げられた種フィルムを連続的に加圧させながら、種フィルムの両側を固定し、自動的に種フィルムを切断することができる種フィルム鋪設装置及び方法が要求された。
【発明の概要】
【発明が解決しようとする課題】
【０００５】
本発明は上記のような従来の問題点を解決するために案出されたもので、本発明の一実施例によれば、角度の調節が可能な均平板、広げられた種フィルムを加圧する種フィルム加圧部、種フィルムを固定させる種フィルム固定部などを含んで、自動的に迅速で簡便に種フィルムを田に鋪設することができる種フィルム鋪設装置及びその鋪設装置を利用した稲点播生分解種フィルム鋪設方法を提供することにある。
【０００６】
また、このような鋪設装置は、移秧機、トラクター、耕運機、管理機などの全ての種類の農機械に着脱可能に構成され、均平板の調節手段を具備して、田の高さの変化、強度の変化に適応して、田を均平にするとともに、連続的に種フィルムを加圧して、固定させることができる種フィルム鋪設装置及びその鋪設装置を利用した稲点播生分解種フィルム鋪設方法を提供することにある。
【０００７】
そして、種フィルム固定部にはショックアブソーバを具備して、田の高さの変化、強度の変化による衝撃を防止し、種フィルム固定部が土に埋められる深さを調節することができ、カッター部を具備して、鋪設作業が終わると、カッター作動部を駆動させて自動的に種フィルムを切断することができる種フィルム鋪設装置及びその鋪設装置を利用した稲点播生分解種フィルム鋪設方法を提供することになる。
【０００８】
本発明のその他の目的、特定長所及び新たな特徴は添付された図面に関連して、以下の詳細な説明と好ましい実施例からより明確になることができる。
【課題を解決するための手段】
【０００９】
本発明の目的は、乗用被覆機、移秧機、トラクター、耕運機または管理機のような農機械の後端に設置される種フィルム鋪設装置において、農機械の後端に具備されるフレームと；種フィルムが巻き取られ、フレームの上端側に設置される種フィルム載置部と；フレームの下端側に具備され、長手方向が田の平面方向と平行し、種フィルムが鋪設される田を均平にする均平板と；均平板と特定間隔に離隔されて、均平板の後方側に具備され、種フィルム載置部の回転によって田に広げられた種フィルムを加圧する種フィルム加圧部と；種フィルム加圧部と特定間隔に離隔されて、種フィルム加圧部の後方側に具備され、加圧された種フィルムの両側末端を加圧して固定させるタイヤ形態の種フィルム固定部とを含むことを特徴とする種フィルム鋪設装置で達成されることができる。
【００１０】
均平板は後方に凹まれるように湾曲された形状を有し、均平板を均平板の長手方向軸を基準に回転させる調節手段と；田の高低及び強度を感知するセンサーと；センサーによって感知されたデータに基づいて調節手段を制御する制御部と；をさらに含むことを特徴とすることができる。
【００１１】
フレームの上端中央一側と均平板の両方側面のそれぞれに連結されて、均平板の左右均衡を保持する弾性部材をさらに含むことを特徴とすることができる。
【００１２】
フレームの上端両側と種フィルム載置部の両側末端とを連結する載置部支持体と；フレームの下端両側と種フィルム加圧部の両側末端とを連結する加圧部支持体と；フレームの下端両側と種フィルム固定部の両側末端とを連結する固定部支持体；をさらに含むことを特徴とすることができる。
【００１３】
固定部支持体の末端のそれぞれに具備された種フィルム固定部を連結する固定軸と；固定軸に具備されて種フィルムを加圧し、種フィルム固定部の直径より小さな直径で具備された少なくとも一つの加圧タイヤとをさらに含むことを特徴とすることができる。
【００１４】
種フィルム固定部には種フィルム固定部が田に挿入される深さを調節し、衝撃を吸収するためのショックアブソーバをさらに含むことを特徴とすることができる。
【００１５】
固定部支持体の末端に具備されて、鋪設された種フィルムを切断するためのカッター部をさらに含むことを特徴とすることができる。
【００１６】
また他のカテゴリーとして、本発明の目的は、前述した種フィルム鋪設装置を種フィルム鋪設方法において、農機械の駆動によって農機械が前方に移動されながら農機械の後方に設置された均平板によって田が均平になる段階と；種フィルム載置部の回転によって種フィルム載置部に巻き取られた種フィルムが種フィルム加圧部の前方に広げられ、広げられた種フィルムが種フィルム加圧部によって田に加圧される段階と；加圧された種フィルムの両側を種フィルム固定部が加圧しながら種フィルムが田に固定される段階と；を含むことを特徴とする種フィルム鋪設方法で達成されることができる。
【発明の効果】
【００１７】
本発明の一実施例によれば、角度の調節が可能な均平板、広げられた種フィルムを加圧する種フィルム加圧部、種フィルムを固定させる種フィルム固定部などを含んで、自動的に迅速で簡便に種フィルムを田に鋪設することができるという效果を奏する。
【００１８】
また、このような鋪設装置は移秧機、トラクター、耕運機、管理機など全ての種類の農機械に着脱可能に構成され、均平板調節手段を具備して、田の高さ変化、強度変化に適応して田を均平にすると同時に、連続的に種フィルムを加圧して固定させることができるという效果を奏する。
【００１９】
そして、種フィルム固定部にはショックアブソーバを具備して、田の高さ変化、強度変化による衝撃を防止し、種フィルム固定部が土に埋められる深さを調節することができ、カッター部を具備して、鋪設作業が終わると、カッター作動部を駆動させて自動的に種フィルムを切断することができるという效果を奏する。
【００２０】
本発明が上記で言及した好ましい実施例と係わって説明されたが、本発明の要旨及び範囲から逸脱することなく、その他に多様な修正及び変形が可能であることは当業者であれば容易に認識することができ、このような変更及び修正は特許請求の範囲に属することは自明である。
【図面の簡単な説明】
【００２１】
【図１】本発明の一実施例による種フィルム鋪設装置を後方側から見た斜視図である。
【図２】本発明の一実施例による種フィルムの平面図である。
【図３】本発明の一実施例による種フィルム鋪設方法の流れ図である。
【図４】本発明の一実施例による種フィルム鋪設装置の均平板部分と調節手段の側面図である。
【図５】本発明の一実施例による種フィルム鋪設装置の均平板部分を前方で見た斜視図である。
【図６】本発明の一実施例による種フィルム鋪設装置の均平板部分を後方から見た斜視図である。
【図７】本発明の一実施例による種フィルム鋪設装置の種フィルム固定部側のカッター部が作動した状態の部分側面図を示したのである。
【発明を実施するための形態】
【００２２】
以下、添付された図面を参照して本発明が属する技術分野において通常の知識を有する者が本発明を容易に実施することができる実施例を詳しく説明する。ただ、本発明の好ましい実施例に対する動作原理を詳細に説明する際に、係わる公知機能または構成に対する具体的な説明が本発明の要旨を不必要に曖昧にすることができると判断される場合にはその詳細な説明を省略する。
【００２３】
また、図面全体において、類似する機能及び作用をする部分に対しては同じ符号を用いる。明細書全体において、ある部分が他の部分と連結されているとする場合、これは直接的に連結されている場合だけではなく、その中間に他の素子を置いて、間接的に連結されている場合も含む。また、ある構成要素を含むというのは特別に反対する記載がない限り、他の構成要素を排除するのではなく、他の構成要素をさらに含むことができることを意味する。
【００２４】
以下では、本発明の一実施例による種フィルム鋪設装置１００の構成及び作用について説明し、その鋪設装置１００を利用した稲点播生分解種フィルム鋪設方法について説明する。まず、図１は本発明の一実施例による種フィルム鋪設装置１００を後方側で見た斜視図を示す。
【００２５】
図１に示すように、本発明の一実施例による種フィルム鋪設装置１００は、乗用被覆機、移秧機、トラクター、耕運機または管理機などのような農機械１が後端に着脱可能に設置される。
【００２６】
このような本発明の一実施例による種フィルム鋪設装置１００は、図１に示すように、農機械１の後端に設置されるフレーム１０、フレーム１０の上端に結合され、種フィルム２が巻き取られる種フィルム載置部２０、フレーム１０の下端側に結合されて、種フィルム２が鋪設された田を均平にする均平板３０、種フィルム載置部２０から解けて田に広げられた種フィルム２を加圧するために構成された種フィルム加圧部４０、種フィルム加圧部４０によって加圧された種フィルム２の両側を土に埋めて固定させる種フィルム固定部５０などを含んでいることが分かる。
【００２７】
本発明の一実施例による種フィルム鋪設装置１００に使われる種フィルム２は、種フィルム２に生分解可能な種フィルム２であればその具体的な材質や形態などに制限されない。図２は本発明の一実施例による種フィルム２の平面図を示す。図２に示すように、本発明の一実施例によって使われる種フィルム２は複数の発芽隙間３を形成しており、このような発芽隙間３の間に複数の稲４が付着されていることが分かる。
【００２８】
このような種フィルム２はローラー形態の種フィルム載置部２０に巻き取られる。巻き取られた種フィルム２は種フィルム載置部２０を回転させる回転部によって回転されて、田に広げられる。種フィルム載置部２０とフレームの上端との間には載置部支持体２１が備えられて、種フィルム載置部２０とフレームとの間を連結する。
【００２９】
図３は本発明の一実施例による種フィルム鋪設方法の流れ図を示すものである。本発明の一実施例による種フィルムの鋪設方法は、後端に種フィルム鋪設装置１００が設置された農機械１が前方に移動しながら、種フィルム鋪設装置１００に具備された均平板３０によって種フィルム２が鋪設された田が均平になる（Ｓ１０）。
【００３０】
そして、回転部によって種フィルム載置部２０が回転されるにつれて種フィルム載置部２０に巻き取られた種フィルム２が解けながら田に種フィルム２が広げられ、広げられた種フィルム２を種フィルム加圧部４０で加圧させる（Ｓ２０）。
【００３１】
次に、種フィルム固定部５０が加圧された種フィルム２の両方末端のそれぞれを加圧しながら種フィルム２の両方が土の中に埋め、種フィルム２が田に固定されて鋪設される（Ｓ３０）。このような過程は農機械１が前方に移動されながら自動的に連続に持続される。また、後述するように、種フィルム２の鋪設が終わると、本発明の一実施例による種フィルム鋪設装置１００に具備されたカッター部が作動しながら自動的に種フィルム２を切開する。
【００３２】
以下では、各段階別に種フィルム鋪設装置１００の一構成それぞれに対する作用及び機能についてより詳しく説明する。
【００３３】
図４は本発明の一実施例による種フィルム鋪設装置１００の均平板３０部分と調節手段３１の側面図を示すのである。図１及び図４に示すように、農機械１の後端側にフレーム１０が設置されていることが分かる。
【００３４】
そして、図４に示すように、均平板３０はフレーム１０の下端に設置されていることが分かる。このような均平板３０は、後方側に凹まれて湾曲された形状に構成されるか、断面が「Ｌ」または「〈」状に類似するように形成されることが好ましい。従って、農機械１が前方側に移動されながら、均平板３０によって種フィルム２が鋪設された田が均平になる。また、このような均平板３０の長手方向は地面と平行に設置される。
【００３５】
また、本発明の一実施例による均平板３０は、図４に示すように、均平板３０を長手方向軸を基準に回転させる調節手段３１を含んでいることが分かる。このような調節手段３１は本発明の具体的な実施例では油圧シリンダーで構成される。従って、田を均平にする段階で田によって印加される抵抗力は、田の高さや田の強度によって異なり、このような抵抗力をセンサーが測定し、センサーによって測定されたデータを制御部に送信して、データに基づいて調節手段３１を制御して均平板３０の角度を調節する。
【００３６】
また、本発明の一実施例による種フィルム鋪設装置１００は、均平板３０の左右均衡を保持させるための弾性部材３２をさらに含んでいる。図５は本発明の一実施例による種フィルム鋪設装置１００を前方側で見た斜視図を示すものである。このような弾性部材３２は、図５に示すように、フレーム１０の上端中央一側と均平板３０の両側それぞれの間に具備されることが分かる。従って、このような弾性部材３２を具備することによって、田の屈曲、傾斜、強度の変化にも衝撃を吸収して、同時に左右均衡を保持することができる。
【００３７】
また、本発明の一実施例による種フィルム鋪設装置１００は、図１、図４及び図５に示すように、種フィルム加圧部４０を含んでいる。このような種フィルム加圧部４０は、フレーム１０の下端に結合され、種フィルム加圧部４０の両側末端とフレーム１０の下端両側末端との間に加圧部支持体４１を具備して、上記均平板３０と特定間隔離隔されて設置される。
【００３８】
種フィルム加圧部４０は、図１、図４及び図５に示すように、ローラー形態に構成され、加圧によって自然に回転するように構成されることもでき、別途の回転手段によって回転可能に構成されることもできる。従って、種フィルム載置部２０によって巻き取られた種フィルム２は回転部の駆動によって下部側に広げられ、田に広げられた種フィルム２は種フィルム加圧部４０によって加圧される。このような種フィルム加圧部４０の設置位置は、田の地面高さと対等に、望ましくは田の地面高さよりやや低く位置するようになる。
【００３９】
また、本発明の一実施例による種フィルム鋪設装置１００は種フィルム固定部５０を含んでいる。図６は本発明の一実施例による種フィルム鋪設装置１００を後方側で見た斜視図を示すものである。このような種フィルム固定部５０は、図６に示すように、一側末端がフレーム１０の下端両側のそれぞれに連結された固定部支持体５１によって結合されることが分かる。即ち、２つの固定部支持体５１の一側末端はフレーム１０の両側に結合され、固定部支持体５１の他側末端にタイヤ形状の種フィルム固定部５０が結合される。
【００４０】
このような種フィルム固定部５０は田に埋められて回転されながら、種フィルム２の両側を土の中に埋めて種フィルム２を固定させる。
【００４１】
このようなタイヤ形状の種フィルム固定部５０の外周部には、図６に示すように、複数の突部が形成されていることが分かる。また、本発明の一実施例による種フィルム鋪設装置１００は２つの種フィルム固定部５０の中央を連結する固定軸５５を備えており、このような固定軸５５が回転されながら固定軸５５の両端に結合された種フィルム固定部５０が回転される。
【００４２】
固定部支持体５１は、図６に示すように、上端支持体５２と下端支持体５３とで構成されることができることが分かる。即ち、上端支持体５２はフレーム１０の両側に結合され、上端支持体５２の中端それぞれに下端支持体５３が連結される。そして、上端支持体５２と下端支持体５３とが結合される部分に第１ヒンジ５４が具備されて、下端支持体５３が第１ヒンジ５４を中心に回転可能に構成されることができる。
【００４３】
また、本発明の一実施例による種フィルム鋪設装置１００は、上端支持体５２の上部末端と下端支持体５３の一側の間にはショックアブソーバ５７をさらに含むことができる。従って、このようなショックアブソーバ５７を含むことによって、種フィルムの両側端を田に固定させる際に、田の高さ、強度によって種フィルム固定部５０が土の中に埋められる深さを調節することができ、田の高さ変化、田の強度変化による衝撃を吸収、緩和することができる。
【００４４】
また、本発明の一実施例による種フィルム鋪設装置１００の種フィルム固定部５０側にはカッター部をさらに含むことができる。図７は本発明の一実施例による種フィルム鋪設装置１００の種フィルム固定部５０側のカッター部が作動された状態の部分側面図を示したものである。
【００４５】
このような本発明の一実施例によるカッター部は下端支持体５３の下部末端に第２ヒンジ６５によって中端が結合された回転部材６２と回転部材６２の一側に設置されたカッター６１、回転部材６２の一端に結合されるカッター作動部６４及び回転部材６２の他端と下端支持体５３との間に具備されるスプリング部材６３を含んで構成されることができる。
【００４６】
従って、カッター作動部６４が駆動されない状態（即ち、種フィルム２の鋪設作業を行う状態）では、スプリング部材６３の弾性力によって回転部材６２に付着されたカッター６１が上部側に移動されるようになる。しかし、種フィルム２の鋪設作業が終わって種フィルム２を切断する場合、カッター作動部６４が作動しながら回転部材６２が図７に示したのを基準に時計方向に回転して、回転部材６２に付着されたカッター６１によって種フィルム２が切断される。このようなカッター作動部６４は本発明の具体的実施例では空圧シリンダーで構成される。
【００４７】
また、本発明の一実施例による種フィルム鋪設装置１００の種フィルム固定部５０側には複数の加圧タイヤ５６をさらに含むことができる。図６に示すように、２つの種フィルム固定部５０を連結する固定軸５５には複数の加圧タイヤ５６が具備されることが分かる。また、このような加圧タイヤ５６の直径は種フィルム固定部５０の直径より小さく構成される。従って、種フィルム固定部５０と加圧タイヤ５６が回転されながら、種フィルム固定部５０は田の土に埋められながら種フィルム２の両側を土の中に埋めて固定させ、同時に加圧タイヤ５６は種フィルム２を再び加圧する。
【符号の説明】
【００４８】
１：農機械  
２：種フィルム
３：発芽隙間  
４：稲
１０：フレーム  
２０：種フィルム載置部  
２１：載置部支持体  
３０：均平板  
３１：調節手段  
３２：弾性部材
４０：種フィルム加圧部  
４１：加圧部支持体
５０：種フィルム固定部  
５１：固定部支持体
５２：上端支持体  
５３：下端支持体
５４：第１ヒンジ  
５５：固定軸  
５６：加圧タイヤ  
５７：ショックアブソーバ  
６１：カッター  
６２：回転部材  
６３：スプリング部材  
６４：カッター作動部  
６５：第２ヒンジ  
１００：種フィルム鋪設装置
【図１】
2015516170.tif 000003
【図２】
2015516170.tif 000004
【図３】
2015516170.tif 000005
【図４】
2015516170.tif 000006
【図５】
2015516170.tif 000007
【図６】
2015516170.tif 000008
【図７】
2015516170.tif 000009
【国際調査報告】
2015516170.tif 000010
2015516170.tif 000011
2015516170.tif 000012
2015516170.tif 000013